(57)【特許請求の範囲】
【請求項１】
左右の高い防潮堤の間に設置する水門の構造において、この防潮堤の左右の壁（５）に沿うて設置された両開きの水門の外枠の左右の柱（７）に各々上部軸受（１１）を取付けて、この軸受により防水扉（８）の主軸（９）を吊下げ、そして下部軸受（１９）により垂直に保持し、そして左の上部軸受（１１）を左蔓巻ボールねじ（１３）の構造、右の上部軸受（１２）を右蔓巻ボールねじ（１４）の構造とすることによって、重い左右の防水扉（８）はその自重によりねじ面に沿うて下降しながら、防水扉の閉じる方向に向って左回転又は右回転しようとする、この回転力を左右の防水扉固定装置（２１）の浮体支持棒（２３）に取付けた突起（２４）と防水扉の固定用掛金（２０）との噛合せによって押留めておき、津波等が押寄せた時、防水扉固定装置（２１）の浮体（２２）が浮上がり、そして浮体支持棒（２３）も浮上がり、これに取付けた突起（２４）が防水扉の固定用掛金（２０）より離脱することにより、左右の防水扉の拘束が解かれるので上記の回転力が復活し、又、高い防潮堤の壁（５）と防水扉との狭まれた空間に流れ込む津波の力も加わって左右の防水扉が閉鎖されるようにした、津波等による増水を防御する水門の構造。
【請求項２】
請求項１に記載の津波等による増水を防御する水門の構造において、左右の防水扉（８）を支持する左右の主軸（９）の底面のセンター孔（１７）を油圧ジャッキ（１８）等により突上げて、左右の蔓巻ボールねじ（１３）（１４）の外輪（１５）の底に隙間を作った後、この上で左右の主軸を回転させることにより、左右の防水扉を小さな力を加えることにより開くことを可能にした、津波等による増水を防御する水門の構造。
【発明の詳細な説明】
【技術分野】
【０００１】  異常時の増水を自動的に防御する水門の構造。
【背景技術】
【０００２】  低い堤防により護られた河川に津波等による増水が押寄せたとき、これを防ぐため新たに津波対策用の高い防潮堤が必要となる、然しこの堤防は河川の舟通行をさまたげるため、平時には開き増水時には即時に閉鎖できる水門の併設が必要であり、この水門の大きさは堤防の上辺より河川の底までの高さと、小型の舟の通行を許す広い間口を必要とする、このような津波等による増水に対応する経済的な水門が要望されている。
【発明の開示】
【発明が解決しようとする課題】
【０００３】  平時は小型の舟の通行を可能にし、津波等の異常増水には電力その他の動力源を使用せずに、この増水の力により自動的に遅滞なく河川等を閉鎖する水門を開発しようとする。
【課題を解決するための手段】
【０００４】  本発明は左右の高い防潮堤の間に設置する水門の構造において、この防潮堤の左右の壁防潮堤の左右の壁５に沿うて設置された両開きの水門の外枠の左右の柱７に各々上部軸受１１を取付けて、この軸受により防水扉８の主軸９を吊下げ、そして下部軸受１９により垂直に保持し、そして左の上部軸受１１を左蔓巻ボールねじ１３の構造、右の上部軸受１２を右蔓巻ボールねじ１４の構造とすることによって、重い左右の防水扉８はその自重によりねじ面に沿うて下降しながら、防水扉の閉じる方向に向って左回転又は右回転しようとする、この回転力を左右の防水扉固定装置２１の浮体支持棒２３に取付けた突起（２４）と防水扉の固定用掛金２０との噛合せによって押留めておく。【０００５】  津波等が押寄せた時、防水扉固定装置２１の浮体２２が浮上がり、そして浮体支持棒２３も浮上がり、これに取付けた突起２４が防水扉の固定用掛金２０より離脱する、このとき左右の浮体支持棒２３は長尺の連結棒２６により結ばれているので、両方の支持棒は同時に浮上がるので左右の突起２４は同時に離脱し、左右の防水扉の拘束が解かれるので上記の回転力が復活し、又高い防潮堤の壁５と防水扉との狭まれた空間に流れ込む津波の力も加わって左右の防水扉が閉鎖されるようになる。【０００６】  又、左右の防水扉８を支持する左右の主軸９の底面のセンター孔１７を油圧ジャッキ１８等により突上げて、左右の蔓巻ボールねじ１３、１４の外輪１５の底に隙間を作った後、この上で左右の主軸を回転させることにより、左右の防水扉を小さな力を加えることにより開くことが可能になる。
【発明の効果】
【０００７】  本発明の水門の開発により河川に津波対策用の高い防潮堤を築き大型の水門を設けて、平時は舟の通行のために開き津波等の増水時には即時に自動的に閉鎖することが可能になる、又、この水門を横に連結して、各々の防水扉の主軸９の上部に歯車１０を取付け、隣接する水門の歯車に噛合せることにより同時に水門を閉鎖できるようになり、より広い河幅にも対応できる、そして小さな漁港の入口の閉鎖も可能になり、増水による被害を軽減できる。
【図面の簡単な説明】
【０００８】
【図１】本発明の実施形態の一例として、水門の開扉時の平面図
【図２】図１のＡ−Ａ断面図
【図３】図２のＢ−Ｂ断面図
【図４】本発明の実施形態の一例として、水門の左上部軸受を左蔓巻ボールねじの構造にした場合の左防水扉の開扉時の左主軸の断面拡大図
【図５】同上左防水扉の閉扉時の左主軸の断面拡大図
【図６】同上左防水扉の閉扉中に左主軸と油圧ジャッキで突上げた時の断面拡大図
【図７】同上油圧ジャッキで突上中に左防水扉を開扉した時の断面拡大図
【発明を実施するための形態】
【０００９】  本発明は左右の高い防潮堤の間に設置する水門の構造において、この防潮堤の左右の壁５に沿うて設置された両開きの水門の外枠の左右の柱７に各々上部軸受１１を取付けて、この軸受により防水扉８の主軸９を吊下げ、そして下部軸受１９により垂直に保持し、そして左の上部軸受１１を左蔓巻ボールねじ１３の構造、右の上部軸受１２を右蔓巻ボールねじ１４の構造とすることによって、重い左右の防水扉８はその自重によりねじ面に沿うて下降しながら、防水扉の閉じる方向に向って左回転又は右回転しようとする、この回転力を左右の防水扉固定装置２１の浮体支持棒２３に取付けた突起２４と防水扉の固定用掛金（２０）との噛合せによって押留めておく。
【００１０】  津波等が押寄せた時、防水扉固定装置２１の浮体２２が浮上がり、そして浮体支持棒２３も浮上がり、これに取付けた突起２４が防水扉の固定用掛金２０より離脱することにより、左右の防水扉の拘束が解かれるので上記の回転力が復活し、又、高い防潮堤の壁５と防水扉との挟まれた空間に流れ込む津波の力も加わって左右の防水扉が閉鎖されるようになる。
【００１１】  図４より図７は左防水扉の左主軸９の左上部軸受１１を左蔓巻ボールねじ１３の構造にし、開扉時、閉扉時、閉扉時中に左防水扉を油圧ジャッキ１８で突上げ中、これを開扉した時の作動を示す断面拡大図である。
【００１２】  左右の上部軸受１１及び１２に左右の蔓巻ボールねじ１３及び１４を使用した場合、閉じられた左右の防水扉８を開けるためには、図６に示すように左右の主軸９の底面のセンター孔１７を油圧ジャッキ１８等により突上げて左右の蔓巻ボールねじの外輪１５の底に隙間を作る。
【００１３】  次に図７に示すように左右の防水扉の主軸９を油圧ジャッキ１８のセンターの上で回転させる、このとき主軸を回転させても蔓巻ボールねじの外輪１５は回転せずに次第に降下して、底の隙間を埋めるように降下する、従って左右の主軸９は蔓巻ボールねじ１３及び１４による抵抗を受けることなく自由に油圧ジャッキのセンターの上を回転することが出来、従って左右の防水扉８は小さな力で開くことが可能になる。
【符号の説明】
【００１４】  １・・・河の堤防                          ２・・・防潮堤
３・・・河底                              ４・・・河面
５・・・防潮堤の壁                        ６・・・水門
７・・・水門の外枠の柱                    ８・・・防水扉
９・・・防水扉の主軸                    １０・・・主軸の上部歯車
１１・・・左の上部軸受                    １２・・・右の上部軸受
１３・・・左蔓巻ボールねじ                １４・・・右蔓巻ボールねじ
１５・・・蔓巻ボールねじの外輪            １６・・・蔓巻ボールねじの内輪
１７・・・主軸底面のセンター孔            １８・・・油圧ジャッキ
１９・・・下部軸受                        ２０・・・防水扉の固定用掛金
２１・・・防水扉固定装置                  ２２・・・扉固定装置の浮体
２３・・・浮体支持棒                      ２４・・・浮体支持棒の突起
２５・・・浮体支持棒の支点                ２６・・・浮体支持棒の連結棒
２７・・・小型の舟
【要約】      （修正有）【課題】平時は小型の舟の通行を可能にし、津波等の異常増水には電力、その他の動力源を使用せずに、この増水の力により自動的に遅滞なく河川等を閉鎖する水門を提供する。【解決手段】防潮堤の左右の壁に沿うて両開きの水門を設け、この防水扉の主軸９の上部軸受１１、１２を、蔓巻ボールねじ１３、１４の構造にすることにより左右の防水扉はその自重により、自然に閉じる方向に回転しようとする、この回転力を左右の防水扉固定装置２１により阻止しておき津波等が押寄せた時、扉固定装置の浮体２２が浮上がって扉の固定用掛金２０より、浮体支持棒の突起２４が離脱することにより左右の防水扉の拘束を解除し、上記の回転力が復活し、又防水扉に押寄せる津波の力により防水扉が閉鎖されるようにした、津波等による増水を防御する水門の構造。【選択図】図２【図１】
0005709117.tif 000002
【図２】
0005709117.tif 000003
【図３】
0005709117.tif 000004
【図４】
0005709117.tif 000005
【図５】
0005709117.tif 000006
【図６】
0005709117.tif 000007
【図７】
0005709117.tif 000008